(57)【要約】アップリンク・チャネルによる送信のために、符号化された制御チャネル情報をインタリーブすることを容易にするシステムおよび方法が記載される。符号化された制御チャネル情報は例えば、符号化されたチャネル品質インジケータ（ＣＱＩ）情報、符号化された事前符号化行列インジケータ（ＰＭＩ）情報、および／または、ランク・インジケータ（ＲＩ）情報を含みうる。ＣＱＩ情報、ＰＭＩ情報、および／または、ＲＩ情報は、例えば、パンクチャされたリード・ミュラー・ブロック・コードを適用することにより、アクセス端末において符号化され、符号化されたビットのシーケンスが生成されうる。符号化されたビットは、１または複数のインタリーブ・アプローチを利用してインタリーブされ、シーケンスが再配列される。導入されうるインタリーブ・アプローチの例は、素数ベースのインタリーブ、一般化されたビット反転インタリーブ、列ビット反転を用いる列−行インタリーブ、および／または、Ｍシーケンス・ベースのインタリーブを含む。さらに、符号化されたビットの再配列されたシーケンスは、アップリンク・チャネルで基地局へ送信されうる。
2011523259.tif 000002
【特許請求の範囲】
【請求項１】
無線通信環境において、チャネル品質インジケータ（ＣＱＩ）情報を送信することを容易にする方法であって、
符号化されたＣＱＩビットの、特定の順序を持つシーケンスを生成するために、ＣＱＩ情報を符号化することと、
前記符号化されたＣＱＩビットのシーケンスを再配列するために、前記符号化されたＣＱＩビットをインタリーブすることと、
前記符号化されたＣＱＩビットの再配列されたシーケンスを、アップリンク・チャネルで基地局へ送信することと
を備える方法。
【請求項２】
パンクチャされたリード・ミュラー（Ｒｅｅｄ  Ｍｕｌｌｅｒ）ブロック・コードを用いて前記ＣＱＩ情報を符号化することをさらに備える請求項１に記載の方法。
【請求項３】
前記符号化されたＣＱＩビットのおのおのは、前記シーケンスにおける入力位置Ｋと、前記再配列されたシーケンスにおける出力位置とにそれぞれ関連付けられている請求項１に記載の方法。
【請求項４】
入力位置と出力位置との間の１対１のマッピングが導入される請求項３に記載の方法。
【請求項５】
前記符号化されたＣＱＩビットを、素数ベースのインタリーブを用いてインタリーブすることをさらに備える請求項１に記載の方法。
【請求項６】
前記素数ベースのインタリーブはさらに、
前記シーケンス内の符号化されたＣＱＩビットのうちの特定の１つに対応するそれぞれの入力位置Ｋに、素数Ｑを乗じて、それぞれの積を得ることと、
前記再配列されたシーケンスにおける符号化されたＣＱＩビットのうちの特定の１つに関連するそれぞれの出力位置Ｋ１を、前記それぞれの積のモジュロＭとして識別することとを備え、
ここで、Ｍは、前記符号化されたＣＱＩビットの総数である請求項５に記載の方法。
【請求項７】
一般化されたビット反転インタリーブを用いて、前記符号化されたＣＱＩビットをインタリーブすることをさらに備える請求項１に記載の方法。
【請求項８】
前記一般化されたビット反転インタリーブは、
前記符号化されたＣＱＩビットの総数Ｍを、素因数に分解することと、
前記シーケンスにおける符号化されたＣＱＩビットのうちの特定の１つに対応するそれぞれの入力位置Ｋを、Ｍの素因数分解によって定義される文字を用いて表現することと、
前記それぞれの入力位置Ｋの表現をビット反転することによって、ビット反転された表現を生成することと、
前記ビット反転された表現を読み出し、前記再配列されたシーケンスにおける符号化されたＣＱＩビットのうちの特定の１つに対応する出力位置Ｋ２を生成することと
を備える請求項７に記載の方法。
【請求項９】
列ビット反転を用いた列−行インタリーブを適用して、前記符号化されたＣＱＩビットをインタリーブすることをさらに備える請求項１に記載の方法。
【請求項１０】
前記列ビット反転を用いた列−行インタリーブは、
前記符号化されたＣＱＩビットの総数Ｍを、おのおのがＹ個の符号化されたＣＱＩビットを含むＸ個のグループに分解することであって、ここで、ＸとＹとの積は、Ｍに等しいことと、
前記それぞれの入力位置Ｋのおのおのに対応する２進数表現における下位ｌｏｇ２（Ｙ）ビットを交換することにより、前記Ｘ個のグループのおのおのにおける前記符号化されたＣＱＩビットに対応するそれぞれの入力位置Ｋに対してビット反転を適用することと、
ビット反転された入力位置を持つ前記Ｘ個のグループのおのおのを、対応する行列のユニークな行に挿入することと、
前記行列から列毎に読み取りを行い、前記再配列されたシーケンスにおける符号化されたＣＱＩビットのおのおののための出力位置を得ることと
をさらに備える請求項９に記載の方法。
【請求項１１】
Ｍシーケンス・ベースのインタリーブを用いて、前記符号化されたＣＱＩビットをインタリーブすることをさらに備え、ここでは、アダマール（Ｈａｄａｍａｒｄ）行列からの列が、一般的な行置換を用いてＭシーケンスへ変換される請求項１に記載の方法。
【請求項１２】
無線通信装置であって、
パンクチャされたリード・ミュラー・ブロック・コードを適用して、チャネル品質インジケータ（ＣＱＩ）レポートを符号化し、Ｍ個の符号化されたＣＱＩビットを入力順に含む、インタリーブされていないシーケンスを生成することであって、ここで、Ｍは、符号化されたＣＱＩビットの総数に関する整数であることと、
前記Ｍ個の符号化されたＣＱＩビットを並べ替え、Ｍ個の符号化されたＣＱＩビットを出力順に含む、インタリーブされたシーケンスを生成することと、
前記Ｍ個の符号化されたＣＱＩビットを出力順に含むインタリーブされたシーケンスを、アップリンク・チャネルで基地局へ送信することと、
に関連する命令群を保持するメモリと、
前記メモリに接続され、前記メモリに保持された命令群を実行するように構成されたプロセッサと
を備える無線通信装置。
【請求項１３】
前記Ｍ個の符号化されたＣＱＩビットのおのおのは、前記インタリーブされていないシーケンスにおけるそれぞれの入力位置と、前記インタリーブされたシーケンスにおけるそれぞれの出力位置とに関連付けられている請求項１２に記載の無線通信装置。
【請求項１４】
前記メモリはさらに、
前記インタリーブされていないシーケンスにおけるＭ個の符号化されたＣＱＩビットのうちの特定の１つに対応するそれぞれの入力位置Ｋと、素数Ｑとのそれぞれの積を生成することと、
前記インタリーブされたシーケンスにおけるＭ個の符号化されたＣＱＩビットのうちの特定の１つに対応するそれぞれの出力位置Ｋ１を、前記それぞれの積のモジュロＭとして認識することと、
に関連する命令群を保持する請求項１２に記載の無線通信装置。
【請求項１５】
前記メモリはさらに、
前記符号化されたＣＱＩビットの総数Ｍの、素因数分解を実行することと、
前記インタリーブされていないシーケンスにおけるＭ個の符号化されたＣＱＩビットのうちの特定の１つに対応するそれぞれの入力位置Ｋを、前記素因数分解によって定義される文字を用いて表現することと、
前記それぞれの入力位置Ｋの表現をビット反転することによって、ビット反転された表現を生成することと、
前記ビット反転された表現を変換することによって、前記インタリーブされたシーケンスにおけるＭ個の符号化されたＣＱＩビットのうちの特定の１つに対応する出力位置Ｋ２を識別することと、
に関連する命令群を保持する請求項１２に記載の無線通信装置。
【請求項１６】
前記メモリはさらに、
前記符号化されたＣＱＩビットの総数Ｍを、おのおのがＹ個の符号化されたＣＱＩビットを含むＸ個のグループに分解することであって、ここで、ＸとＹとの積は、Ｍに等しいことと、
前記Ｘ個のグループのおのおのにおけるＭ個の符号化されたＣＱＩビットのうちの対応する１つに関連するそれぞれの入力位置Ｋのおのおのに対応する２進数表現における下位ｌｏｇ２（Ｙ）ビットを交換することと、
下位ビットが交換された前記Ｘ個のグループのおのおのを、対応する行列のユニークな行に挿入することと、
前記行列から列毎に読み取りを行い、前記インタリーブされたシーケンスにおけるＭ個の符号化されたＣＱＩビットのおのおののための出力位置を得ることと、
に関連する命令群を保持する請求項１２に記載の無線通信装置。
【請求項１７】
前記メモリはさらに、Ｍシーケンスに基づくパターンを用いて、前記Ｍ個の符号化されたＣＱＩビットを並べ替えること、に関連する命令群を保持する請求項１２に記載の無線通信装置。
【請求項１８】
無線通信環境において、チャネル品質インジケータ（ＣＱＩ）情報を送信することをイネーブルする無線通信装置であって、
符号化されたＣＱＩビットのシーケンスを生成する手段と、
前記符号化されたＣＱＩビットの配列を並べ替えて、符号化されたＣＱＩビットのインタリーブされたシーケンスを生成する手段と、
前記符号化されたＣＱＩビットのインタリーブされたシーケンスを、アップリンク・チャネルで基地局へ送信する手段と
を備える無線通信装置。
【請求項１９】
前記符号化されたＣＱＩビットのおのおのについて、前記シーケンスにおける入力位置と、前記インタリーブされたシーケンスにおける出力位置との間の１対１のマッピングが導入される請求項１８に記載の無線通信装置。
【請求項２０】
前記１対１のマッピングは、素数ベースのインタリーブに基づいて定義される請求項１９に記載の無線通信装置。
【請求項２１】
前記１対１のマッピングは、一般化されたビット反転インタリーブに応じて提供される請求項１９に記載の無線通信装置。
【請求項２２】
前記１対１のマッピングは、列ビット反転を用いる列−行インタリーブに基づいて得られる請求項１９に記載の無線通信装置。
【請求項２３】
前記１対１のマッピングは、Ｍシーケンス・ベースのインタリーブに基づいて提供される請求項１９に記載の無線通信装置。
【請求項２４】
コンピュータ読取可能媒体を備えるコンピュータ・プログラム製品であって、
前記コンピュータ読取可能媒体は、
パンクチャされたリード・ミュラー・ブロック・コードを適用して、制御チャネル情報を符号化し、Ｍ個の符号化されたビットを入力順に含む、インタリーブされていないシーケンスを生成するためのコードであって、ここで、Ｍは、符号化されたビットの総数に関する整数であるコードと、
前記Ｍ個の符号化されたビットを並べ替え、Ｍ個の符号化されたビットを出力順に含む、インタリーブされたシーケンスを生成するためのコードと、
前記Ｍ個の符号化されたＣＱＩビットを出力順に含むインタリーブされたシーケンスを、アップリンク・チャネルで基地局へ送信するためのコードと
を備えるコンピュータ・プログラム製品。
【請求項２５】
前記コンピュータ読取可能媒体はさらに、
前記インタリーブされていないシーケンスにおけるＭ個の符号化されたビットのうちの特定の１つに対応するそれぞれの入力位置Ｋと、素数Ｑとのそれぞれの積を生成するためのコードと、
前記インタリーブされたシーケンスにおけるＭ個の符号化されたビットのうちの特定の１つに対応するそれぞれの出力位置Ｋ１を、前記それぞれの積のモジュロＭとして認識するためのコードと
を備える請求項２４に記載のコンピュータ・プログラム製品。
【請求項２６】
前記コンピュータ読取可能媒体はさらに。
前記符号化されたビットの総数Ｍの、素因数分解を実行するためのコードと、
前記インタリーブされていないシーケンスにおけるＭ個の符号化されたビットのうちの特定の１つに対応するそれぞれの入力位置Ｋを、前記素因数分解によって定義される文字を用いて表現するためのコードと、
前記それぞれの入力位置Ｋの表現をビット反転することによって、ビット反転された表現を生成するためのコードと、
前記ビット反転された表現を変換することによって、前記インタリーブされたシーケンスにおけるＭ個の符号化されたＣＱＩビットのうちの特定の１つに対応する出力位置Ｋ２を識別するためのコードと
を備える請求項２４に記載のコンピュータ・プログラム製品。
【請求項２７】
前記コンピュータ読取可能媒体はさらに、
前記符号化されたビットの総数Ｍを、おのおのがＹ個の符号化されたビットを含むＸ個のグループに分解するためのコードであって、ここで、ＸとＹとの積は、Ｍに等しいコードと、
前記Ｘ個のグループのおのおのにおけるＭ個の符号化されたビットのうちの対応する１つに関連するそれぞれの入力位置Ｋのおのおのに対応する２進数表現における下位ｌｏｇ２（Ｙ）ビットを交換するためのコードと、
下位ビットが交換された前記Ｘ個のグループのおのおのを、対応する行列のユニークな行に挿入するためのコードと、
前記行列から列毎に読み取りを行い、前記インタリーブされたシーケンスにおけるＭ個の符号化されたＣＱＩビットのおのおののための出力位置を得るためのコードと
を備える請求項２４に記載のコンピュータ・プログラム製品。
【請求項２８】
前記コンピュータ読取可能媒体はさらに、Ｍシーケンスに基づくパターンを用いて、前記Ｍ個の符号化されたビットを並べ替えるためのコードを備える請求項２４に記載のコンピュータ・プログラム製品。
【請求項２９】
無線通信装置であって、
符号化されたチャネル品質インジケータ（ＣＱＩ）ビットの、特定の順序を持つシーケンスを生成するために、ＣＱＩ情報を符号化し、
前記符号化されたＣＱＩビットのシーケンスを再配列するために、前記符号化されたＣＱＩビットをインタリーブし、
前記符号化されたＣＱＩビットの再配列されたシーケンスを、アップリンク・チャネルで基地局へ送信する
ように構成されたプロセッサを備える無線通信装置。
【請求項３０】
前記プロセッサはさらに、前記符号化されたＣＱＩビットを、素数ベースのインタリーブ、一般化されたビット反転インタリーブ、列ビット反転を用いた列−行インタリーブ、または、Ｍシーケンス・ベースのインタリーブのうちの少なくとも１つを用いてインタリーブするように構成された請求項２９に記載の無線通信装置。
【発明の詳細な説明】
【関連出願に対する相互参照】
【０００１】
本出願は、２００８年４月２９日に出願された“ＭＥＴＨＯＤ  ＡＮＤ  ＡＰＰＡＲＡＴＵＳ  ＦＯＲ  ＩＮＴＥＲＬＥＡＶＩＮＧ  ＬＴＥ  ＣＱＩ  ＣＨＡＮＮＥＬ”と題された米国仮出願６１／０４８，９２３号の利益を主張する。
【０００２】
上記出願の全体は、参照によって本明細書に組み込まれる。
【技術分野】
【０００３】
以下の記述は、一般に無線通信に関し、さらに詳しくは、無線通信システムにおいて、符号化された制御チャネル情報について、インタリービングを適用することに関する。
【背景技術】
【０００４】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００５】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００６】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００７】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００８】
無線通信システムはしばしば、有効範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００９】
従来の無線通信技術はしばしば、アクセス端末においてダウンリンク・チャネル条件をモニタし、モニタされたチャネル条件に対応するフィードバックを、アクセス端末から、対応する基地局へ送信する。モニタされたチャネル条件に対応するフィードバックは、チャネル品質インジケータ（ＣＱＩ）でありうる。これは、アクセス端末によって、アップリンク・チャネルで基地局へ送信されうる。しかしながら、一般的なアプローチは、アップリンク・チャネルで送信された符号化されたＣＱＩ情報をインタリーブすることを失敗する。これは、時間変動チャネルの誤り率を高めることになりうる。
【発明の概要】
【００１０】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１１】
１または複数の実施形態および対応する開示によれば、さまざまな態様が、アップリンク・チャネルによる送信のために、符号化された制御チャネル情報のインタリーブを容易にすることに関連して記載される。符号化された制御チャネル情報は例えば、符号化されたチャネル品質インジケータ（ＣＱＩ）情報、符号化された事前符号化行列インジケータ（ＰＭＩ）情報、および／または、ランク・インジケータ（ＲＩ）情報を含みうる。ＣＱＩ情報、ＰＭＩ情報、および／またはＲＩ情報は、例えば、符号化されたビットのシーケンスを生成するために、パンクチャされたリード・ミュラー（Ｒｅｅｄ  Ｍｕｌｌｅｒ）ブロック・コードを適用することにより、アクセス端末において符号化される。符号化されたビットは、１または複数のインタリーブ・アプローチを利用してインタリーブされ、シーケンスが再配列される。導入されうるインタリーブ・アプローチの例は、素数ベースのインタリーブ、一般化されたビット反転インタリーブ、列ビット反転を用いる列−行インタリーブ、および／または、Ｍシーケンス・ベースのインタリーブを含みうる。さらに、符号化されたビットの再配列されたシーケンスが、アップリンク・チャネルによって基地局へ送信されうる。
【００１２】
関連する態様によれば、本明細書では、無線通信環境において、チャネル品質インジケータ（ＣＱＩ）情報を送信することを容易にする方法が記述される。この方法は、符号化されたＣＱＩビットの、特定の順序を持つシーケンスを生成するために、ＣＱＩ情報を符号化することを含みうる。さらに、この方法は、符号化されたＣＱＩビットのシーケンスを再配列するために、符号化されたＣＱＩビットをインタリーブすることを含みうる。さらに、この方法は、符号化されたＣＱＩビットの再配列されたシーケンスを、アップリンク・チャネルで基地局へ送信することを含みうる。
【００１３】
他の態様は、無線通信装置に関する。この無線通信装置は、パンクチャされたリード・ミュラー・ブロック・コードを適用して、チャネル品質インジケータ（ＣＱＩ）レポートを符号化し、Ｍ個の符号化されたＣＱＩビットを入力順に含む、インタリーブされていないシーケンスを生成することと、Ｍ個の符号化されたＣＱＩビットを並べ替え、Ｍ個の符号化されたＣＱＩビットを出力順に含む、インタリーブされたシーケンスを生成することと、Ｍ個の符号化されたＣＱＩビットを出力順に含むインタリーブされたシーケンスを、アップリンク・チャネルで基地局へ送信することと、に関連する命令群を保持するメモリを含みうる。ここで、Ｍは、符号化されたＣＱＩビットの総数に関する整数である。さらに、この無線通信装置は、メモリに接続され、メモリに保持された命令群を実行するように構成されたプロセッサを含みうる。
【００１４】
また別の態様は、無線通信環境において、チャネル品質インジケータ（ＣＱＩ）情報を送信することをイネーブルする無線通信装置に関する。この無線通信装置は、符号化されたＣＱＩビットのシーケンスを生成する手段を含みうる。さらに、この無線通信装置は、符号化されたＣＱＩビットの配列を並べ替えて、符号化されたＣＱＩビットのインタリーブされたシーケンスを生成する手段を含みうる。さらに、この無線通信装置は、符号化されたＣＱＩビットのインタリーブされたシーケンスを、アップリンク・チャネルで基地局へ送信する手段を含みうる。
【００１５】
また別の態様は、コンピュータ読取可能媒体を備えるコンピュータ・プログラム製品に関する。このコンピュータ読取可能媒体は、パンクチャされたリード・ミュラー・ブロック・コードを適用して、制御チャネル情報を符号化し、Ｍ個の符号化されたビットを入力順に含む、インタリーブされていないシーケンスを生成するためのコードを含みうる。ここで、Ｍは、符号化されたビットの総数に関する整数である。さらに、このコンピュータ読取可能媒体は、Ｍ個の符号化されたＣＱＩビットを並べ替え、Ｍ個の符号化されたビットを出力順に含む、インタリーブされたシーケンスを生成するためのコードを備えうる。さらに、このコンピュータ読取可能媒体は、Ｍ個の符号化されたＣＱＩビットを出力順に含むインタリーブされたシーケンスを、アップリンク・チャネルで基地局へ送信するためのコードを含みうる。
【００１６】
別の態様によれば、無線通信装置は、プロセッサを含みうる。ここで、プロセッサは、符号化されたチャネル品質インジケータ（ＣＱＩ）ビットの、特定の順序を持つシーケンスを生成するために、ＣＱＩ情報を符号化するように構成されうる。さらに、このプロセッサは、符号化されたＣＱＩビットのシーケンスを再配列するために、符号化されたＣＱＩビットをインタリーブするように構成されうる。さらに、このプロセッサは、符号化されたＣＱＩビットの再配列されたシーケンスを、アップリンク・チャネルで基地局へ送信するように構成されうる。
【００１７】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１８】
【図１】図１は、本明細書に記載されたさまざまな態様にしたがう無線通信システムの実例である。
【図２】図２は、無線通信環境において、ＣＱＩ送信をインタリーブするシステムの実例である。
【図３】図３は、無線通信環境において、ＣＱＩ送信をインタリーブするために素数ベースのアプローチを適用するシステムの実例である。
【図４】図４は、無線通信環境において、ＣＱＩ送信をインタリーブするために、一般化されたビット反転スキームを利用するシステムの実例である。
【図５】図５は、無線通信環境において、符号化されたＣＱＩビットをインタリーブするために、列ビット反転を用いる列−行アプローチを適用するシステムの実例である。
【図６】図６は、無線通信環境において、アップリンク・チャネルによってなされた送信をインタリーブするためにＭシーケンス設計を利用するシステムの実例である。
【図７】図７は、入力位置Ｋのシーケンスのみならず、本明細書に記載されたＣＱＩインタリービング・アプローチによって生成される可能な出力シーケンスを含むテーブルの実例である。
【図８】図８は、無線通信環境において、チャネル品質インジケータ（ＣＱＩ）情報を送信することを容易にする方法の実例である。
【図９】図９は、無線通信環境において、チャネル品質インジケータ（ＣＱＩ）情報を取得することを容易にする方法の実例である。
【図１０】図１０は、無線通信システムにおいて、インタリーブされたＣＱＩ情報を送信するアクセス端末の実例である。
【図１１】図１１は、無線通信環境において、インタリーブされたＣＱＩ情報を取得するシステムの実例である。
【図１２】図１２は、本明細書において記載されたさまざまなシステムおよび方法と共に適用されうる無線ネットワーク環境の実例である。
【図１３】図１３は、無線通信環境においてチャネル品質インジケータ（ＣＱＩ）情報を送信することをイネーブルするシステムの実例である。
【発明を実施するための形態】
【００１９】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるように、用語「構成要素」、「モジュール」、「システム」などは、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００とＵＭＢは、「第３世代パートナシップ計画２」（３ＧＰＰ２）と命名された組織からのドキュメントに記載されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、さまざまな実施形態は、本明細書において、アクセス端末に関して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末との通信のために利用することができ、アクセス・ポイント、ノードＢ、イボルブド・ノードＢ（ｅＮｏｄｅＢ、ｅＮＢ）、あるいはその他のいくつかの用語で称されうる。
【００２４】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２５】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２６】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２７】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２８】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００２９】
システム１００は、アップリンク・チャネルに適用されうるチャネル・インタリービング・スキームを使用することができる。チャネル・インタービング・スキームは、通常の周期的プレフィクス（ＣＰ）あるいは拡張ＣＰに関して利用することができる。アクセス端末１１６、１２２は、ダウンリンク・チャネル条件を評価し、この評価に基づいて、チャネル品質インジケータ（ＣＱＩ）情報（例えば、ＣＱＩレポート）を生成しうる。アクセス端末１１６、１２２によってそれぞれ生成されたＣＱＩ情報は、符号化されうる。ＣＱＩ情報は、例えばリード・ミュラー（ＲＭ）コードのようなブロック・コードを使用して符号化されうる。符号化されたＣＱＩ情報はその後、アクセス端末１１６、１２２によってインタリーブされ、アップリンク・チャネルによって基地局１０２へ送信されうる。対照的に、従来技術は、しばしば、アップリンク・チャネルによる送信のために、符号化されたＣＱＩ情報をインタリーブすることに失敗する。これは、誤り率を高めることに至る。例えば、従来のアプローチに関連付けられた誤り率は、符号化されたＣＱＩ情報が、インタリーブされることなく時間変動チャネルによって送信された場合に、顕著に高くなりうる。
【００３０】
本明細書に記載されたアップリンク・チャネルに関連するチャネル・インタリーブ・スキームを利用することによって、さまざまな条件の下、一般的な技術と比べて誤り率が低くなりうる。例えば、アクセス端末１１６、１２２がさまざまな速度で移動している場合、あるいは静止している場合、誤り率は低くなる。さらに、本明細書で記載されたチャネル・インタリーブ・スキームを適用する場合、ペイロード・サイズが異なると、誤り率も低くなる。
【００３１】
図２に示すように、無線通信環境において、ＣＱＩ送信をインタリーブするシステム２００が例示される。システム２００は、情報、信号、データ、命令、コマンド、ビット、シンボル等を送信および／または受信しうるアクセス端末２０２を含む。アクセス端末２０２は、順方向リンクおよび／または逆方向リンクを介して基地局２０４と通信しうる。基地局２０４は、情報、信号、データ、命令、コマンド、ビット、シンボル等を送信および／または受信しうる。さらに、図示していないが、アクセス端末２０２に類似の任意の数のアクセス端末が、システム２００に含まれるか、および／または、基地局２０４に類似の任意の数の基地局が、システム２００に含まれうることが考慮される。例示によれば、システム２００は、ロング・ターム・イボリューション（ＬＴＥ）ベースのシステムになり得る。しかしながら、権利主張された主題は、それには限定されない。
【００３２】
アクセス端末２０２はさらに、チャネル品質に関連する情報を提供するＣＱＩレポートを生成するＣＱＩ評価構成要素２０６を含みうる。ＣＱＩ評価構成要素２０６は、実質的に任意の周期でＣＱＩレポートを生成しうる。さらに、または、その代わりに、ＣＱＩ評価構成要素２０６は、非定期的にＣＱＩレポートを生成しうる。ＣＱＩ評価構成要素２０６は、ＣＱＩレポートを生成するために、ダウンリンク・チャネル条件をモニタしうる。さらに、ＣＱＩレポートは、基地局２０４によるチャネル依存スケジューリングのために使用され、もって、基地局２０４へフィードバックされうる。ＣＱＩ評価構成要素２０６によって生成されたＣＱＩレポートのための根拠は、基地局２０４によって送信されたダウンリンク基準信号の測定値でありうる。さらに、ＣＱＩ評価構成要素２０６によって提供されるＣＱＩレポートは、時間領域と周波数領域との両方におけるチャネル品質を示しうる。
【００３３】
さらに、アクセス端末２０２は、符号化されたＣＱＩビットを生成するために、ＣＱＩ評価構成要素２０６によって生成されたＣＱＩレポートを符号化する符号化構成要素２０８を含みうる。符号化構成要素２０８は、ＣＱＩレポートを符号化するためのブロック・コードを適用しうる。一例によれば、符号化構成要素２０８によって使用されるブロック・コードは、パンクチャされたリード・ミュラー（ＲＭ）ブロック・コードでありうる。この例によれば、パンクチャされたたリード・ミュラー・ブロック・コードは、（２０，ｎ）の符号化レートを有しうる。ここでｎは、アップリンク・チャネル（例えば、ＣＱＩチャネル、物理アップリンク制御チャネル（ＰＵＣＣＨ）、物理アップリンク共有チャネル（ＰＵＳＣＨ））のペイロード・サイズである。例示によれば、符号化構成要素２０８は、符号化された２０のＣＱＩビットを生成するために、ＣＱＩ評価構成要素２０６によって生成されたＣＱＩ情報（例えば、ＣＱＩレポート）に、パンクチャされたリード・ミュラー・ブロック・コードを適用しうる。さらなる例によれば、符号化構成要素２０８は、符号化されたビットを生成するために、（例えば、パンクチャされたリード・ミュラー・ブロック・コードを用いて）ＣＱＩ情報、事前符号化行列インジケータ（ＰＭＩ）情報、および／または、ランク・インジケータ（ＲＩ）情報をブロック符号化しうる。以下の説明の多くは、符号化されたＣＱＩビットをインタリーブすることに関するが、そのような例は、符号化されたＣＱＩビット、ＰＭＩビット、および／またはＲＩビットをインタリーブするために拡張されうる。
【００３４】
さらに、アクセス端末２０２は、符号化されたＣＱＩビットを、送信のためにインタリーブするインタリーブ構成要素２１０を含みうる。符号化されたＣＱＩビットをインタリーブすることによって、送信を、バースト誤りから保護しうる。インタリーブ構成要素２１０は、符号化構成要素２０８によって生成された符号化されたＣＱＩビットの順序を並べ替える。実例によれば、符号化構成要素２０８が、シーケンス内の所与の順序で、符号化された２０のＣＱＩビットを生成した場合、インタリーブ構成要素２１０は、サブフレーム内の送信のために、符号化された２０のＣＱＩビットの順序を変えうる。この例によれば、再配列された符号化された前半の１０のＣＱＩビットが、サブフレームの第１のスロット内で送信される一方、再配列された符号化された後半の１０のＣＱＩビットが、サブフレームの第２のスロット内で送信されうる。符号化されたＣＱＩビットは、１より多くのサブフレーム、２より多くのスロット等で送信されるものと考慮されるので、権利主張される主題は、前述した例に限定されない。
【００３５】
さらに、インタリーブされた符号化されたＣＱＩビットは、シンボル（例えば、直交フェーズ・シフト・キーイング（ＱＰＳＫ）シンボル）にマップされ、サブフレーム内で送信されうる。例えば、符号化構成要素２０８によって生成された符号化された２０のＣＱＩビットは、符号化された２０のＣＱＩビットが再配列されるように、インタリーブ構成要素２１０によって並べ替えられうる。その後、並べ替えられた２０の符号化されたＣＱＩビットは、１０のＱＰＳＫシンボルにマップされうる。この１０のＱＰＳＫシンボルは、さらに、サブフレーム内の１０のローカル周波数分割多重化（ＬＦＤＭ）シンボル（例えば、サブフレームの第１のスロット内の５つのＬＦＤＭシンボルおよびサブフレームの第２のスロット内の５つのＬＦＤＭシンボル）で送信されうる。しかしながら、権利主張される主題は、前述の例に限定されないことが認識されるべきである。
【００３６】
並べ替えられた符号化されたＣＱＩビットは、アップリンク・チャネルでアクセス端末２０２によって基地局２０４へ送信されうる。例示によれば、アップリンク・チャネルは、ＣＱＩチャネルでありうる。さらに、アップリンク・チャネルは、例えば、物理アップリンク制御チャネル（ＰＵＣＣＨ）および／または物理アップリンク共有チャネル（ＰＵＳＣＨ）でありうる。一例として、ＰＵＳＣＨは、ユーザ・データおよびＣＱＩ情報を搬送しうる。別の例によれば、ＰＵＣＣＨは、ＣＱＩ情報を搬送しうる。この例によれば、ＰＵＣＣＨは、アクセス端末２０２がＰＵＳＣＨを送信していない場合、ＣＱＩ情報を搬送するために適用されうる。しかしながら、権利主張される主題は、前述した例に限定されない。さらに、ＰＵＳＣＨおよび／またはＰＵＣＣＨは、ＣＱＩ情報に加えて、あるいは、ＣＱＩ情報の代わりに、ＰＭＩ情報および／またはＲＩ情報を搬送しうることが認識されるべきである。
【００３７】
基地局２０４は、アクセス端末２０２によってアップリンク・チャネルで送信された並べ替えられた符号化されたＣＱＩビットを受信しうる。基地局２０４はさらに、逆インタリーブ構成要素２１２および復号構成要素２１４を含みうる。逆インタリーブ構成要素２１２は、並べ替えられた符号化されたＣＱＩビットを逆インタリーブして、符号化されたＣＱＩビットを（例えば、インタリーブする前にアクセス端末２０２の符号化構成要素２０８によって出力されたような）オリジナルの順序で生成しうる。したがって、逆インタリーブ構成要素２１２は、アクセス端末２０２のインタリーブ構成要素２１０によって有効化された符号化されたＣＱＩビットの再配列を戻す。例えば、逆インタリーブ構成要素２１２は、アクセス端末２０２のインタリーブ構成要素２１０によって使用される特定のインタリーブ・アプローチ（または複数のインタリーブ・アプローチ）の逆を行いうる。さらに、復号構成要素２１４は、対応するＣＱＩ情報を認識すうために、符号化されたＣＱＩビットを判読しうる。
【００３８】
アップリンク・チャネルのためのチャネル・インタリーブ動作を適用することによって、ＣＱＩ送信のためにチャネル・インタリーブが使用されない従来技術に比べ、リンク・パフォーマンスを高めることができる。チャネルが時間変動する場合、これら一般的なアプローチはしばしば、パフォーマンスの低下をもたらし、バースト状の誤りをもたらしうる。例えば、リード・ミュラー・コードの構造により、サブフレーム内に大きなチャネル変動がある場合、アップリンク・チャネルによって送信されたＣＱＩ情報のためにインタリーブを行わないことによって、リンク・レベルが失われる。
【００３９】
図３に示すように、無線通信環境において、ＣＱＩ送信をインタリーブするために、素数ベースのアプローチを適用するシステム３００が例示される。システム３００は、アクセス端末２０２を含んでいる。アクセス端末２０２は、ＣＱＩ評価構成要素２０６および符号化構成要素２０８を含みうる。ＣＱＩ評価構成要素２０６は、ダウンリンク・チャネル条件を評価し、それに基づいて、ＣＱＩ情報を生成しうる。さらに、符号化構成要素２０８は、パンクチャされたリード・ミュラー・ブロック・コードをＣＱＩ情報に適用し、符号化されたＣＱＩビットを生成する。
【００４０】
符号化構成要素２０８によって生成された符号化されたＣＱＩビットは、素因数インタリーブ構成要素３０２へ入力される。例えば、図２のインタリーブ構成要素２１０は、素因数インタリーブ構成要素３０２でありうる。しかしながら、権利主張された主題は、それには限定されない。さらに、素因数インタリーブ構成要素３０２は、アップリンク・チャネルによる送信のために、符号化されたＣＱＩビットを並べ替えうる。
【００４１】
符号化構成要素２０８は、符号化されたＭ個のＣＱＩビットを素因数インタリーブ構成要素３０２へ提供しうる。ここで、Ｍは、実質的に任意の整数でありうる。符号化構成要素２０８によってＡ（Ｍ，ｎ）符号が適用されうる。ここで、ｎは、アップリンク・チャネルのペイロード・サイズである。例えば、Ｍは２０でありうる。しかしながら、権利主張された主題は、それには限定されない。符号化されたＭ個のＣＱＩビットは、シーケンス内の符号化された１番目のＣＱＩビットが位置０にあり、シーケンス内の符号化されたＭ番目のビットが位置Ｍ−１にあるようにシーケンス内に存在しうる。素因数インタリーブ構成要素３０２は、入力位置Ｋからのシーケンス内の符号化されたＣＱＩビットを、出力位置Ｋ１にマップしうる。ここで、ＫおよびＫ１はおのおの、０からＭ−１までのシーケンス内の任意の位置でありうる。
【００４２】
素因数インタリーブ構成要素３０２はさらに、マッピングを有効にするために、素数Ｑを適用しうる。素数Ｑは、予め定められているか、動的に決定されうるか、時間変動する関数によって指定される等でありうることが認識されうる。さらに、この素数はまた、ＣＱＩ情報が送信される基地局（例えば、図２の基地局、図２の逆インタリーブ構成要素２１２）によって知られうる。
【００４３】
素因数インタリーブ構成要素３０２は、入力位置Ｋにおいて、符号化構成要素２０８によって入力された符号化されたＣＱＩビットを、ＫにＱを乗じることによって、出力位置Ｋ１へマップしうる。素因数インタリーブ構成要素３０２は、出力位置Ｋ１を、ＫにＱを乗じた積のモジュロＭとして識別しうる。したがって、素因数インタリーブ構成要素３０２は、以下を評価しうる。Ｋ１＝ｍｏｄ（Ｋ＊Ｑ，Ｍ）
一例として、Ｍは２０でありうる。また、Ｑは７でありうる。この例によれば、素因数インタリーブ構成要素３０２は、１４を得るために２に７を乗ずることによって、符号化構成要素２０８から取得された入力シーケンスにおける位置２において、符号化されたＣＱＩビットをマップしうる。さらに、１４モジュロ２０が、素因数インタリーブ構成要素３０２によって評価され、１４が出力される。したがって、入力シーケンス内の位置２における符号化されたＣＱＩビットが、素因数インタリーブ構成要素３０２によって生成された出力シーケンスにおける位置１４にマップされうる。さらに、図７は、素因数インタリーブ構成要素３０２へ入力されうるＫの値と、前述した例にしたがって素因数インタリーブ構成要素３０２によって生成される対応するＫ１の値とを示すテーブル７００を図示する。しかしながら、ＭまたはＱのために任意の数が利用されうることが考慮されるので、権利主張される主題は、前述した例に限定されないことが認識されるべきである。
【００４４】
図４に移って、無線通信環境において、ＣＱＩ送信をインタリーブするために、一般化されたビット反転スキームを利用するシステム４００が例示される。システム４００は、アクセス端末２０２を含んでいる。アクセス端末４００はさらに、ＣＱＩ評価構成要素２０６と符号化構成要素２０８とを備えうる。アクセス端末２０２はまた、符号化構成要素２０８によって生成された合計符号化ビットＭの素因数分解に基づいて達成されうる非バイナリ文字を用いる一般化されたビット反転インタリービングを利用して、符号化されたＣＱＩビットのシーケンスを並べ替えうる。
【００４５】
ビット反転インタリーブ構成要素４０２は、Ｍを素因数に分解しうる。例えば、素因数分解により、  
【数１】
2011523259.tif 000003
【００４６】
が得られる。ここで、ａ０、ａ１、…ａｐは、Ｍの素因数であり、ｎ０、ｎ１、…ｎｐは、対応する素因数のおのおのの多重度(multiplicity)である。Ｍが２０である場合、本明細書に記載された例によれば、ビット反転インタリーブ構成要素４０２は、Ｍ＝２０を分解し、２２×５を得る。
【００４７】
従来のビット反転インタリーバは、ａ０＝２の場合における  
【数２】
2011523259.tif 000004
【００４８】
について定義されうる。この従来のアプローチは、２の累乗であるサイズＭに適用されうる。対照的に、ビット反転インタリーブ構成要素４０２は、素数分解に基づいて、文字を、２進数からより高次にまで拡張することによって、任意の数であるＭについて一般的なインタリーブを有効にしうる。その後、ビット反転動作は、より高次の文字に基づきうる。
【００４９】
ビット反転インタリーブ構成要素４０２はさらに、表示構成要素４０４および反転構成要素４０６を含みうる。表示構成要素４０４は、Ｍの素因数分解によって定義される文字を用いて、入力位置Ｋを表示しうる。Ｍが２０である前述の例に戻ると、入力位置は、３桁の数（ａｂｃ）を用いて表現されうる。ここで、Ｍ＝２×２×５であるので、ビット位置の文字は、２、２、５である。したがって、表示構成要素４０４は、以下を評価することにより、入力位置Ｋに対応する３桁の数を決定しうる。Ｋ＝１０ａ＋５ｂ＋ｃ、ここでａ＝｛０，１｝、ｂ＝｛０，１｝、およびｃ＝｛０，１，２，３，４｝である。例えば、表示構成要素４０４は、３桁の数００４に対応する入力位置４、３桁の数０１０に対応する入力位置５等を特定するために、前述したことを適用しうる。
【００５０】
さらに、反転構成要素４０６は、表示構成要素４０４によって生成された拡張文字を用いて表現される３桁の数をビット反転しうる。新たなビット位置（例えば、出力位置）は、反転構成要素４０６の出力に基づいてインタリーブされた位置として読み出されうる。反転構成要素４０６は、拡張された文字を用いて、３桁の数を反転する。したがって、Ｍが２０である上記の例に従うと、出力位置Ｋ２は、以下の式を分析する反転構成要素４０６によって生成されうる。Ｋ＝４ｃ＋２ｂ＋ａ、ここでａ＝｛０，１｝、ｂ＝｛０，１｝、およびｃ＝｛０，１，２，３，４｝である。ここで、入力位置Ｋに対応させるために表示構成要素４０４によって認識された３桁の数（ａｂｃ）が、反転構成要素４０６によって利用され、出力位置Ｋ２が決定されうる。例示によれば、上述したように、表示構成要素４０４は、入力位置４は、３桁の数００４に対応しているものと認識し、反転構成要素４０６は、ビット反転された３桁の数４００（ｃｂａ）を得るために、３桁の数００４をビット反転しうる。したがって、ビット反転された３桁の数におけるビット位置に対する文字は、５、２、２である。よって、反転構成要素５０６は、ビット反転された３桁の数４００に対応する出力位置Ｋ２は１６（例えば、４＊４＋２＊０＋０＝１６）であると決定しうる。さらに、図７は、前述した例にしたがって、ビット反転インタリーブ構成要素４０２に入力されうるＫの値と、ビット反転インタリーブ構成要素４０２によって生成された対応するＫ２の値とを示すテーブル７００を例示する。しかしながら、任煮の値を持つＭがインタリーブされうることが考慮されるので、権利主張される主題は、前述の例に限定されないことが認識されるべきである。
【００５１】
図５に示すように、無線通信環境において、符号化されたＣＱＩビットをインタリーブするために、列ビット反転を用いる列−行アプローチを導入するシステム５００が例示される。システム５００は、アクセス端末２０２を含んでいる。アクセス端末２０２は、インタリーブされたＣＱＩ情報をアップリンク・チャネルで送信しうる。アクセス端末２０２は、ＣＱＩ評価構成要素２０６および符号化構成要素２０８を含みうる。さらに、アクセス端末２０２は、列−行インタリーブ構成要素５０２（例えば図２のインタリーブ構成要素２１０）を含みうる。
【００５２】
列−行インタリーブ構成要素５０２はさらに、グルーピング構成要素５０４、反転構成要素５０６、および行列構成要素５０８を含みうる。グルーピング構成要素５０４は、符号化構成要素２０８によって生成された符号化されたＣＱＩビットのシーケンスのＭ個の入力ビット位置を、それぞれがＹ個の要素を含むＸのグループへ分解しうる。ＸおよびＹはおのおの整数であり、ＸにＹを乗じたものがＭに等しくなる。さらに、ｚが整数である場合、Ｙは、２ｚに等しい整数となる。Ｍが２０に等しい例によれば、グルーピング構成要素５０４は、２０の入力ビット位置を、おのおの４つの要素からなる５つのグループへ分解しうる。したがって、グルーピング構成要素５０４は、入力位置０、１、２、３を含む第１のグループと、入力位置４，５，６，７を含む第２のグループ等を生成しうる。
【００５３】
反転構成要素５０６は、グループのおのおののためにビット反転を適用しうる。特に、グループ内の入力位置は、おのおの、２進数の数字として表現されうる。さらに、反転構成要素５０６は、２進数の数字のおのおのの最下位ビットの数を交換しうる。交換される下位ビットの数は、Ｙの関数でありうる。例えば、下位ビットの数は、ｌｏｇ２（Ｙ）に等しい。したがって、Ｙが４に等しい上記の例によれば、２進数の数のおのおのの下位２ビットが交換される。しかしながら、権利主張された主題は、それには限定されない。さらに、反転構成要素５０６は、下位ビットが交換された２進数の数に対応する１０進数の数を生成しうる。例によれば、第１のグループが入力位置０、１、２、３を含む場合、これらの入力位置はそれぞれ００、０１、１０、１１によって表現されうる。反転構成要素５０６は、２進数の数のおのおのの下位２ビットについてビット反転を適用し、００、１０、０１、１１を得る。その後、反転構成要素５０６は、これら２進数の数を、１０進の数（すなわち０、２、１、３）に変換しうる。同様に、第２のグループが入力位置４、５、６、７を含んでいる場合、これらの入力位置は、１００、１０１、１１０、１１１によって表現されうる。下位２ビットについてビット反転を有効にすると、反転構成要素５０６は、２進数の表現を、１００、１１０、１０１、１１１に変換しうる。さらに、反転構成要素５０６は、対応する１０進数である４、６、５、７を出力しうる。反転構成要素５０６は、同様に、グルーピング構成要素５０４によって分離されたグループの残りについて、下位２ビットを反転しうる。
【００５４】
行列構成要素５０８は、反転構成要素５０６によって出力されたＸ個のグループを、行列内に行毎に書き込む。したがって、前述の例によれば、５つのグループが行列に書き込まれ、おのおののグループは、対応するそれぞれの行に含まれる。さらに、行列構成要素５０８は、行列から、列毎に値を読み出す。上記の例によれば、行列構成要素５０８は、以下の行を、行列内に組み込む。すなわち、行１は、０、２、１および３を含み、行２は、４、６、５および７を含み、行３は、８、１０、９および１１を含み、行４は、１２、１４、１３および１５を含み、行５は、１６、１８、１７および１９を含みうる。この例によれば、行列構成要素５０８は、行列から、列毎に読み取ることができる。したがって、行列構成要素５０８によって４列が読み取られる。行列構成要素５０８は、０、４、８、１２および１６を含む列１を読み取り、次に、２、６、１０、１４および１８を含む列２を読み取り、その後、１、５、９、１３および１７を含む列３を読み取り、さらに、３、７、１１、１５および１９を含む列４を読み取る。
【００５５】
結果として、符号化された２０個のビット（例えば、Ｍが２０に等しい）の場合について、列−行インタリーブ構成要素５０２によって生成されたインタリーブされたパターンは、図４のビット反転インタリーブ構成要素４０２によって生成されたパターン（例えば、Ｋ２）と等しい。したがって、上記例にしたがって、図７に示すように、テーブル７００は、列−行インタリーブ構成要素５０２に入力されうる値Ｋと、列−行インタリーブ構成要素５０２によって生成された対応する値Ｋ２とを例示する。しかしながら、Ｍについて任意の値が利用されうるので、権利主張される主題は、前述した例に限定されないことが認識されるべきである。
【００５６】
図６に移って、無線通信環境において、アップリンク・チャネルでなされる送信をインタリーブするためにＭシーケンス設計を利用するシステム６００が例示される。システム６００はアクセス端末２０２を含んでいる。アクセス端末２０２はさらに、ＣＱＩ評価構成要素２０６および符号化構成要素２０８を含んでいる。さらに、アクセス端末２０２は、（例えば、図２のインタリーブ構成要素２１０のような）Ｍシーケンス・インタリーブ構成要素６０２を含みうる。
【００５７】
Ｍシーケンス・インタリーブ構成要素６０２は、リード・ミュラー・コードの最初の６つの基本ベクトルが、一般的な行置換を用いてＭシーケンスに変換されうる３２×３２のアダマール（Ｈａｄａｍａｒｄ）行列のある列と同じであるという原理を導入しうる。長さ３２の場合、（循環シフトと同等であるとの条件の下）６つの可能な置換がある。Ｍシーケンス・インタリーブ構成要素６０２は、６つの可能な置換のうちの１つを使用することができる。さらに、Ｍシーケンス・インタリーブ構成要素６０２は、ＣＱＩコードワードが（例えば、符号化構成要素２０８によって）リード・ミュラー・コードに関してパンクチャされるのと同じ方式で、長さ３２のインタリーブ・パターンをパンクチャしうる。さらに詳しくは、図７に示すように、テーブル７００は、Ｍシーケンス・インタリーブ構成要素６０２に入力されうる入力位置Ｋと、Ｍシーケンス・インタリーブ構成要素６０２によって出力されうる出力位置Ｋ３とを含む。インタリーブされたパターンＫ３は、Ｍシーケンス・インタリーブ構成要素６０２によって使用されうる６つの可能な置換のうちに１つに対応する。
【００５８】
図７を参照して、入力位置Ｋのシーケンスのみならず、本明細書に記載されたＣＱＩインタリーブ・アプローチによって生成されうる可能な出力シーケンスをも含むテーブル７００の例が例示される。さらに詳しくは、入力位置Ｋは、本明細書に記載されたインタリーブ・シナリオのうちの１または複数への入力として使用されうる。例えば、入力位置Ｋは、（例えば、図３に示すように）素数ベースのインタリーブ・アプローチに入力され、対応する出力位置Ｋ１が生成される。さらに、入力位置Ｋは、（例えば、図４に示すような）一般化されたビット反転インタリーバ、または、（例えば、図５に示すような）列−行インタリーバに入力され、対応する出力位置Ｋ２が生成される。さらに、入力位置Ｋは、図６のＭシーケンス・インタリーブ構成要素６０２に入力され、対応する出力位置Ｋ３が生成される。
【００５９】
本明細書に記載されたインタリーブ・アプローチのうちの１または複数は、符号化されたＣＱＩビットを、アップリンク・チャネルによる送信のために並べ替えるために適用されうることが考慮される。例えば、これらインタリーブ・アプローチのうちの１つが適用されうる。別の例によれば、これらインタリーブ・アプローチのうちの２つ（またはそれ以上）が、符号化されたＣＱＩビットを並べ替えるために、連続して利用されうる。別の例によれば、ＣＱＩ送信を第１の基地局等に送信するために、第１のインタリーブ・アプローチが第１の期間内に利用されうる一方、ＣＱＩ送信を第２の基地局等の送信するために、第２のインタリーブ・アプローチが第２の期間内に適用されうる。さらに、権利主張される主題は、テーブル７００内に記載されたシーケンスの例（例えば、権利主張される主題に関連して任意の長さの入力シーケンスＭが利用されうる。素因数インタリーブのために、任意の素数Ｑが利用されうる。）に限定されないことが認識されるべきである。
【００６０】
図８乃至図９を参照して、無線通信環境において、ＣＱＩ情報をフィードバックすることに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００６１】
図８を参照して、無線通信環境において、チャネル品質インジケータ（ＣＱＩ）情報を送信することを容易にする方法８００が例示される。８０２では、チャネル品質インジケータ（ＣＱＩ）情報が符号化され、特定の順序を持つ符号化されたＣＱＩビットのシーケンスが生成される。例えば、ＣＱＩ情報は、パンクチャされたリード・ミュラー（ＲＭ）ブロック・コードを使用して符号化されうる。この例によれば、パンクチャされたリード・ミュラー・ブロック・コードによって生成されたシーケンスは、符号化されたＭ個のＣＱＩビットを含みうる。ここで、Ｍは実質的に任意の整数でありうる。例示によれば、Ｍは２０であり得る。しかしながら、権利主張された主題は、それには限定されない。さらなる例によれば、ＣＱＩ情報は、（例えば、パンクチャされたリード・ミュラー・ブロック・コードを用いて）事前符号化行列インジケータ（ＰＭＩ）情報および／またはランク・インジケータ（ＲＩ）情報とともに符号化され、もって、シーケンスは、ＣＱＩ、ＰＭＩ、および／またはＲＩに関連するＭ個の符号化ビットを含みうる。
【００６２】
８０４では、符号化されたＣＱＩビットが、符号化されたＣＱＩビットのシーケンスを再配列するためにインタリーブされうる。符号化されたＣＱＩビットのシーケンスを再配列するために、１または複数のインタリーブ技術が適用されうることが考慮される。例えば、シーケンス内の符号化されたＣＱＩビットのおのおのが、それぞれの入力位置Ｋに関連付けられうる（例えば、シーケンス内の入力位置の範囲は、０からＭ−１でありうる）。さらに、利用されているインタリーブ技術に依存して、符号化されたＣＱＩビットのおのおのの入力位置が、再配列されたシーケンス内の対応する出力位置にマップしている（例えば、再配列されたシーケンス内の出力位置の範囲が、０からＭ−１でありうる）。例えば、入力位置と出力位置との間の１対１のマッピングが導入されうる。さらに、符号化されたＣＱＩビットの再配列されたシーケンスが、シンボル（例えば、直交フェーズ・シフト・キーイング（ＱＰＳＫ）シンボル）にマップされうる。例えば、Ｍが２０に等しい場合、再配列されたシーケンスが、２０の並べ替えられた符号化されたＣＱＩビットを含む。これは、１０のＱＰＳＫシンボルへマップされうる。８０６では、符号化されたＣＱＩビットの再配列されたシーケンスが、アップリンク・チャネルで基地局へ送信されうる。符号化されたＣＱＩビットの再配列されたシーケンスが、共通のサブフレーム（例えば、共通のサブフレームの２つのスロット）で送信されうる。上記の例によれば、１０のＱＰＳＫシンボルが、サブフレーム内の１０のローカル周波数分割多重化（ＬＦＤＭ）シンボルで送信されうる。しかし、権利主張された主題は、前述した例に限定されない。さらに、アップリンク・チャネルは、物理アップリンク制御チャネル（ＰＵＣＣＨ）、物理アップリンク共有チャネル（ＰＵＳＣＨ）、ＣＱＩチャネル等でありうる。
【００６３】
例によれば、符号化されたＣＱＩビットは、素数ベースのインタリーブ技術の使用により、インタリーブされうる。この例によれば、符号化されたＣＱＩビットのおのおのについて、入力位置Ｋに素数Ｑが乗じられる。さらに、再配列されたシーケンス内の符号化されたおのおののＣＱＩビットの対応する出力位置Ｋ１が、ＫにＱを乗じた積のモジュロＭとして識別されうる。素数Ｑは、予め定義されたり、動的に決定されたり、あるいは、時間変動する関数によって指定される等であることが考慮される。
【００６４】
さらなる例によれば、符号化されたＣＱＩビットは、一般化されたビット反転インタリーブ・スキームを用いることによってインタリーブされうる。したがって、符号化されたＣＱＩビットの総数Ｍが、素因数へ分解されうる。素因数分解によって、  
【数３】
2011523259.tif 000005
【００６５】
が得られる。ここで、ａ０、ａ１、…およびａｐは、Ｍの素因数であり、ｎ０、ｎ１、…およびｎｐは、対応する素因数のおのおのの多重度である。例によれば、Ｍが２０である場合、Ｍ＝２０の素因数分解により、２２×５が得られる。さらに、符号化されたおのおののＣＱＩビットについて、入力位置Ｋが、Ｍの素因数分解によって定義される文字を用いて表現されうる。上記の例によれば、入力位置Ｋは３桁の数を用いて表現されうる。ここで、入力位置の文字は２、２および５である。したがって、入力位置Ｋに基づいて、３桁の数（ａｂｃ）は、Ｋ＝１０ａ＋５ｂ＋ｃを評価することによって生成されうる。ここで、ａ＝｛０，１｝、ｂ＝｛０，１｝、ｃ＝｛０，１，２，３，４｝である。さらに、３桁の数による表現は、拡張文字を用いてビット反転されうる。ビット反転された３桁の数による表現はその後、対応する出力位置Ｋ２を生成するために読み出されうる。例えば、対応する出力位置Ｋ２は、Ｋ２＝４ｃ＋２ｂ＋ａを評価することによって生成されうる。ここで、ａ＝｛０，１｝、ｂ＝｛０，１｝、ｃ＝｛０，１，２，３，４｝である。
【００６６】
別の例によれば、符号化されたＣＱＩビットは、列ビット反転を用いる列−行インタリーブ・アプローチを適用することによってインタリーブされうる。符号化されたＣＱＩビットの総数Ｍは、おのおのがＹ個の符号化されたＣＱＩビットを含むＸ個のグループへと分解されうる。ここで、Ｙが乗じられたＸは、Ｍに等しい（例えば、ＸとＹとはそれぞれ整数である）。さらに、ｚが整数である場合、（例えば、符号化されたＣＱＩビットの数である）Ｙは、２Ｚに等しくなりうる。例えば、Ｍが２０である場合、それぞれが４つの符号化されたＣＱＩビットを含む５つのグループが生成されうる。さらに、シーケンスにおける最初のＹ個の符号化されたＣＱＩビットが、第１のグループに含まれ、シーケンスにおける次のＹ個の符号化されたＣＱＩビットが、第２のグループに含まれる等である。さらに、グループのおのおのに対して、ビット反転が適用されうる。実例として、ビット反転は、符号化されたＣＱＩビットのおのおのの入力位置Ｋを、２進数の数として表現し、２進数の数の下位ｌｏｇ２（Ｙ）ビットを交換し、交換された下位ｌｏｇ２（Ｙ）ビットの２進数の数を、符号化されたＣＱＩビットに対応する１０進数に変換するによって有効とされうる。Ｍが２０に等しく、Ｙが４に等しい上記例によれば、おのおのの２進数の数の下位２ビットが交換されうる。しかしながら、権利主張された主題は、それには限定されない。さらに、ビット反転を実行すると、グループが、行毎に行列へ読み取られうる。ここで、おのおののグループのビット反転から生成された１０進数の数が、行列のそれぞれの行に含まれうる。さらに、符号化されたＣＱＩビットのシーケンスのための並べ替えられた順序を識別するために、行列から列毎に１０進数の数が読み出されうる。
【００６７】
別の例として、符号化されたＣＱＩビットは、Ｍシーケンス・ベースのインタリーブ技術を利用することによりインタリーブされうる。Ｍシーケンスは、アダマール行列から得ることができる。例えば、アダマール行列からの列は、一般的な行置換を用いてＭシーケンスへ変換されうる。生成されたＭシーケンスのうちの特定の１つが、インタリーブ・パターンとして利用され、符号化されたＣＱＩビットのシーケンスが再配列される。
【００６８】
図９に移って、無線通信環境において、チャネル品質インジケータ（ＣＱＩ）情報を取得することを容易にする方法９００が例示される。９０２では、符号化されたチャネル品質インジケータ（ＣＱＩ）ビットのシーケンスが、アップリンク・チャネルによってアクセス端末から受信されうる。例えば、符号化されたＣＱＩビットは、共通のサブフレームで受信されうる。９０４では、符号化されたＣＱＩビットが逆インタリーブされ、アクセス端末によって有効にされた、符号化されたＣＱＩビットのシーケンスの順序の置換が戻されうる。符号化されたＣＱＩビットは、順序の置換のためアクセス端末によって利用される入力位置と出力位置との間の１対１のマッピングを導入することにより逆インタリーブされうる。例えば、１対１のマッピングは、素因数インタリーブに基づいて生成されうる。別の例によれば、１対１のマッピングは、素因数分解を用いる一般化されたビット反転インタリーブに応じて認識されうる。さらなる例によれば、１対１のマッピングは、列ビット反転を用いる列−行インタリーブに基づいて識別されうる。別の例によれば、１対１のマッピングは、Ｍシーケンス・ベースのインタリーブに応じて決定されうる。９０６では、ＣＱＩ情報は、符号化されたＣＱＩビットの逆インタリーブされたシーケンスから復号されうる。
【００６９】
本明細書において記載された１または複数の態様によれば、無線通信環境において、ＣＱＩ送信をインタリーブすることに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７０】
図１０は、無線通信システムにおいて、インタリーブされたＣＱＩ情報を送信するアクセス端末１０００の実例である。アクセス端末１０００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機１００２を備えうる。受信機１００２は、例えばＭＭＳＥ受信機であり、受信したシンボルを復調し、それらをチャネル推定のためにプロセッサ１００６へ送る復調器１００４を備えうる。プロセッサ１００６は、受信機１００２によって受信された情報の分析、および／または、送信機１０１６による送信のための情報の生成に特化されたプロセッサであるか、アクセス端末１０００の１または複数の構成要素を制御するプロセッサであるか、および／または、受信機１００２によって受信された情報の分析と、送信機１０１６による送信のための情報の生成と、アクセス端末１０００の１または複数の構成要素の制御とのすべてを行うプロセッサでありうる。
【００７１】
アクセス端末１０００は、プロセッサ１００６に動作可能に接続されたメモリ１００８をさらに備える。このメモリは、送信されるべきデータ、受信したデータ、および、本明細書に記載されたさまざまな動作および機能を実行することに関連するその他任意の適切な情報を格納しうる。メモリ１００８は、例えば、ＣＱＩ情報の生成、ＣＱＩ情報の符号化、および／または、符号化されたＣＱＩ情報のインタリーブに関連付けられたプロトコルおよび／またはアルゴリズムを格納しうる。
【００７２】
本明細書に記載されたデータ・ストア（例えば、メモリ１００８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１００８は、限定される訳ではないが、これらおよびその他任意の適切なタイプのメモリを備えることが意図される。
【００７３】
プロセッサ１００６は、符号化構成要素１０１０および／またはインタリーブ構成要素１０１２に動作可能に接続されうる。符号化構成要素１０１０は、図２の符号化構成要素２０８に実質的に類似しているか、および／または、インタリーブ構成要素１０１２が、図２のインタリーブ構成要素２１０に実質的に類似しうる。符号化構成要素１０１０は、ＣＱＩ情報を符号化し、符号化されたＣＱＩビットのシーケンスを生成しうる。さらに、インタリーブ構成要素１０１２は、符号化されたＣＱＩビットの、シーケンスにおける順序の並べ替えを行いうる。さらに、図示されていないが、アクセス端末１０００は、図２のＣＱＩ評価構成要素２０６に実質的に類似しうるＣＱＩ評価構成要素を含みうることが考慮される。アクセス端末１０００はさらに、変調器１０１４と、データ、信号等を基地局へ送信する送信機１０１６とを備える。プロセッサ１００６と別に示されているが、符号化構成要素１０１０、インタリーブ構成要素１０１２、および／または変調器１０１４は、プロセッサ１００６または多くのプロセッサ（図示せず）のうちの一部でありうることが認識されるべきである。
【００７４】
図１１は、無線通信環境において、インタリーブされたＣＱＩ情報を取得するシステム１１００の実例である。システム１１００は、複数の受信アンテナ１１０６を介して１または複数のアクセス端末１１０４から信号を受信する受信機１１１０と、送信アンテナ１１０８を介して１または複数のアクセス端末１１０４に信号を送信する送信機１１２４と、有する基地局１１０２（例えば、アクセス・ポイント）を備える。受信機１１１０は、受信アンテナ１１０６から情報を受信する。さらに、受信した情報を復調する復調器１１１２と動作可能に関連付けられている。復調されたシンボルは、図１０に関して上述されたプロセッサに類似したプロセッサによって分析される。このプロセッサはまた、アクセス端末１１０４へ送信されるべきデータ、または、アクセス端末１１０４から受信したデータ、および／または、本明細書に記載されたさまざまな動作および機能を実行することに関連するその他任意の適切な情報を格納するメモリ１１１６に接続されている。プロセッサ１１１４はさらに、逆インタリーブ構成要素１１１８および／または復号構成要素１１２０に接続されている。逆インタリーブ構成要素１１１８は、図２の逆インタリーブ構成要素２１２に実質的に類似しており、および／または、復号構成要素１１２０は、図２の復号構成要素２１４に実質的に類似しうることが認識されるべきである。逆インタリーブ構成要素１１１８は、アクセス端末１１０４から受信したようなシーケンスで、符号化されたＣＱＩビットを逆インタリーブしうる。さらに、復号構成要素１１２０は、逆インタリーブされた符号化されたＣＱＩビットを復号し、アクセス端末１１０４によって提供されたＣＱＩ情報を認識する。基地局１１０２はさらに、変調器１１２２を含みうる。変調器１１２２は、前述の説明にしたがって、送信機１１２４によるアンテナ１１０８を経由したアクセス端末１１０４への送信のために、フレームを多重化しうる。プロセッサ１１１４と別に示されているが、逆インタリーブ構成要素１１１８、復号構成要素１１２０、および／または変調器１１２２は、プロセッサ１１１４または多くのプロセッサ（図示せず）のうちの一部でありうることが認識されるべきである。
【００７５】
図１２は、無線通信システム１２００の例を示す。無線通信システム１２００は、簡潔さの目的のため、１つの基地局１２１０と１つのアクセス端末１２５０しか示していない。しかしながら、システム１２００は、１より多い基地局、および／または、１より多いアクセス端末を含みうることが認識されるべきである。ここで、追加の基地局および／またはアクセス端末は、以下に示す基地局１２１０およびアクセス端末１２５０の例と実質的に類似しうるか、あるいは、異なりうる。さらに、基地局１２１０および／またはアクセス端末１２５０は、その間の無線通信を容易にするために、本明細書に記載されたシステム（図１乃至図６、図１０乃至図１１、および図１３）および／または方法（図８乃至図９）を適用しうることが認識されるべきである。
【００７６】
基地局１２１０では、多くのデータ・ストリームのためのトラフィック・データが、データ・ソース１２１２から送信（ＴＸ）データ・プロセッサ１２１４へ提供される。一例によれば、おのおののデータ・ストリームが、それぞれのアンテナを介して送信される。ＴＸデータ・プロセッサ１２１４は、トラフィック・データ・ストリームをフォーマットし、このデータ・ストリームのために選択された特定の符合化スキームに基づいて符号化し、インタリーブして、符合化されたデータを提供する。
【００７７】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１２５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１２３０によって実行または提供される命令によって決定されうる。
【００７８】
データ・ストリームの変調シンボルは、（例えば、ＯＦＤＭのために）変調シンボルを処理するＴＸ  ＭＩＭＯプロセッサ１２２０に提供される。その後、ＴＸ  ＭＩＭＯプロセッサ１２２０は、ＮＴ個の変調シンボル・ストリームをＮＴ個の送信機（ＴＭＴＲ）１２２２ｔ乃至１２２２ａに提供する。さまざまな実施形態において、ＴＸ  ＭＩＭＯプロセッサ１２２０は、データ・ストリームのシンボル、および、そのシンボルが送信されるアンテナへ、ビームフォーミング重みを適用する。
【００７９】
おのおのの送信機１２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１２２２ａ乃至１２２２ｔからのＮＴ個の変調信号は、ＮＴ個のアンテナ１２２４ａ乃至１２２４ｔそれぞれから送信される。
【００８０】
アクセス端末１２５０では、送信された変調信号が、ＮＲ個のアンテナ１２５２ａ乃至１２５２ｒによって受信され、各アンテナ１２５２からの受信信号が、それぞれの受信機（ＲＣＶＲ）１２５４ａ乃至１２５４ｒへ提供される。おのおのの受信機１２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８１】
ＲＸデータ・プロセッサ１２６０は、ＮＲ個の受信機１２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１２６０は、検出されたおのおののシンボル・ストリームを復調し、デインタリーブし、復号して、そのデータ・ストリームのためのトラフィック・データを復元する。ＲＸデータ・プロセッサ１２６０による処理は、基地局１２１０におけるＴＸ  ＭＩＭＯプロセッサ１２２０およびＴＸデータ・プロセッサ１２１４によって実行されるものと相補的である。
【００８２】
プロセッサ１２７０は、上述したように、利用可能などの技術を利用するのかを定期的に決定する。さらに、プロセッサ１２７０は、行列インデクス部およびランク値部を備えた逆方向リンク・メッセージを規定することができる。
【００８３】
逆方向リンク・メッセージは、通信リンクおよび／または受信されたデータ・ストリームに関するさまざまなタイプの情報を備えうる。逆方向リンク・メッセージは、ＴＸデータ・プロセッサ１２３８によって処理され、変調器１２８０によって変調され、送信機１２５４ａ乃至１２５４ｒによって調整され、基地局１２１０へ送り返される。ＴＸデータ・プロセッサ１２３８はまた、データ・ソース１２３６から多くのデータ・ストリームのトラフィック・データを受け取る。
【００８４】
基地局１２１０では、アクセス端末１２５０からの変調信号が、アンテナ１２２４によって受信され、受信機１２２２によって調整され、復調器１２４０によって復調され、ＲＸデータ・プロセッサ１２４２によって処理されることによって、アクセス端末１２５０によって送信された逆方向リンク・メッセージが抽出される。さらに、プロセッサ１２３０は、ビームフォーミング重みを決定するためにどの事前符合化行列を使用するかを決定するために、この抽出されたメッセージを処理する。
【００８５】
プロセッサ１２３０およびプロセッサ１２７０は、基地局１２１０およびアクセス端末１２５０それぞれにおける動作を指示（例えば、制御、調整、管理等）する。プロセッサ１２３０およびプロセッサ１２７０はそれぞれ、プログラム・コードおよびデータを格納するメモリ１２３２およびメモリ１２７２に関連付けられうる。プロセッサ１２３０およびプロセッサ１２７０はまた、アップリンクおよびダウンリンクそれぞれのための周波数およびインパルス応答推定値を導出する計算をも実行する。
【００８６】
態様では、論理チャネルが、制御チャネルとトラフィック・チャネルとに分類される。論理制御チャネルは、システム制御情報をブロードキャキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００８７】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００８８】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００８９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００９０】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９１】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９２】
図１３を参照して、無線通信環境において、チャネル品質インジケータ（ＣＱＩ）情報を送信することをイネーブルするシステム１３００が図示される。例えば、システム１３００は、アクセス端末内に存在しうる。システム１３００は、プロセッサ、ソフトウェア、またはそれらの組み合わせ（例えば、ファームウェア）によって実現される機能を表す機能ブロックでありうる機能ブロックを含むものとして示されることが認識されるべきである。システム１３００は、連携して動作しうる電子構成要素の論理グループ１３０２を含む。例えば、論理グループ１３０２は、符号化されたチャネル品質インジケータ（ＣＱＩ）ビットのシーケンスを生成するための電子構成要素１３０４を含みうる。さらに、論理グループ１３０２は、符号化されたＣＱＩビットのシーケンスにおける配列を並べ替え、符号化されたＣＱＩビットのインタリーブされたシーケンスを生成するための電子構成要素１３０６を含みうる。さらに、論理グループ１３０２は、符号化されたＣＱＩビットのインタリーブされたシーケンスをアップリンク・チャネルで基地局へ送信するための電子構成要素１３０８を含みうる。さらに、システム１３００は、電子構成要素１３０４、１３０６、１３０８に関連付けられた機能を実行するための命令群を保持するメモリ１３１０を含みうる。メモリ１３１０の外側にあると示されているが、電子構成要素１３０４、１３０６、１３０８のうちの１または複数は、メモリ１３１０内に存在しうることが理解されるべきである。
【００９３】
上述したものは、１または複数の実施形態の一例しか含んでいない。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011523259.tif 000006
【図２】
2011523259.tif 000007
【図３】
2011523259.tif 000008
【図４】
2011523259.tif 000009
【図５】
2011523259.tif 000010
【図６】
2011523259.tif 000011
【図７】
2011523259.tif 000012
【図８】
2011523259.tif 000013
【図９】
2011523259.tif 000014
【図１０】
2011523259.tif 000015
【図１１】
2011523259.tif 000016
【図１２】
2011523259.tif 000017
【図１３】
2011523259.tif 000018
【国際調査報告】
2011523259.tif 000019
2011523259.tif 000020
2011523259.tif 000021